(57)【要約】  貯蔵タイプの織物用途のためのヤーン（１８）供給装置（１０、１０Ａ）が、スプールから来るヤーン（１８）の巻き連なり（２０）が巻き付けられるドラム（１６）を担持する本体（１２）と、磁石（３０、３６、３８）を用いるタイプの制動部材（２２）であって、第１の永久磁石（３０）と固定された第２の磁石、及び第２の磁石（３６、３８）によって第１の磁石（３０）に加えられる作用を変更するための調節手段（３８、３９）を備えている制動部材（２２）と、出て行くヤーン（１８）の張力値を測定するための張力センサ（２４）と、調節手段を制御する制御ユニット（２６）を備えている。第１の磁石は、環状で、第１の永久磁石（３０）がヤーン（１８）をドラムに固定された受止要素（３２）に押圧する第１の位置（３０Ａ）と、この効果が生じない第２の位置（３０Ｂ）との間を、ドラム（１６）の軸と平行にドラムに沿って移動することができ、制御ユニット（２６）は、張力センサ（２４）によって測定された張力値を受信し、それらの測定された張力値を所定の値と比較し、これらの２つの値が一致しない場合には、張力値を所定の値に調節するよう、リアルタイムに前記調節手段（３８、３９）に介入する。【選択図】図２
2015504489.tif 000002
【特許請求の範囲】
【請求項１】
貯蔵タイプの織物用途のためのヤーン（１８）供給装置であって、
スプールから来るヤーン（１８）の巻き連なり（２０）が巻き付けられるドラム（１６）を担持する本体（１２）と、
繊維機械による引き出しの下にヤーン（１８）がドラム（１６）を離れる際に、ヤーン（１８）に作用するようになっており、磁石（３０、３６、３８）を用いるタイプのものである制動部材（２２）であって、
ドラム（１６）に対して移動可能な第１の永久磁石（３０）と、少なくとも１個の固定された第２の磁石（３６、３８）、及び
第２の磁石（３６、３８）によって第１の永久磁石に加えられる作用を変更する調節手段（３８、３９）、
を備えている制動部材（２２）と、
前記第２の磁石に対する前記調節手段の介入を制御するため、前記調節手段に作用するようになっている制御ユニットと、
ドラムを離れるヤーン（１８）の張力の値を測定する張力センサ（２４）を、
備えたヤーン（１８）供給装置において、
第１の永久磁石（３０）は、ドラム（１６）の軸線と平行にドラムに沿って自由に移動することができるリングとして形作られ、ドラムに対して動かない受止要素（３２）と協働するようになっており、ヤーン（１８）は、制動を受ける際に、前記環状の第１の永久磁石（３０）と前記受止要素（３２）との間に挟まれ、前記環状の第１の永久磁石（３０）は、第１の永久磁石（３０）がドラム（１６）を出るヤーン（１８）を受止要素（３２）に押圧する作業の第１の位置（３０Ａ）と、この効果が起きない第２の位置（３０Ｂ）に行くようにドラム（１６）に沿ってドラムと平行に移動することができるよう、ドラム（１６）の直径よりも大きな直径を有しており、制動作用は、ヤーンを、前記第１の自由に移動可能な環状の永久磁石（３０）と、ドラム（１６）に対して動かない前記受止要素（３２）との間で、ドラム（１６）を出るヤーン（１８）の運動の方向に、圧迫することにより行われ、
固定された第２の磁石（３６、３８）は、第１の永久磁石（３０）を、第１の永久磁石の前記位置のうちの第１の位置（３０Ａ）又は第２の位置（３０Ｂ）に維持することができ、制御ユニット（２６）は、張力センサ（２４）によって測定された張力値を受信し、それらの測定された張力値を所定の張力値と比較し、前記調節手段（３８、３９）が第２の磁石（３６、３８）によって環状の第１の永久磁石（３０）に加えられる作用を調節して、張力値を所定の値に調節する環状の第１の永久磁石のヤーンに対する制動作用を得るよう、リアルタイムに前記調節手段（３８、３９）に介入することを特徴とするヤーン（１８）供給装置。
【請求項２】
調節手段が、第２の磁石を構成する電磁石（３８）を備え、出て行くヤーン（１８）の張力を調節するため、電磁石（３８）によって発生した磁場の強さを、制御ユニット（２６）によって変えることができることを特徴とする請求項１に記載のヤーン（１８）供給装置。
【請求項３】
第２の磁石が、永久磁石（３６）であり、調節手段が、電磁石（３８）を備え、電磁石（３８）によって発生した磁場の強さを、制御ユニット（２６）によって変えることにより、第１の永久磁石（３０）に対する第２の永久磁石（３６）の磁場の作用を変更できることを特徴とする請求項１に記載のヤーン（１８）供給装置。
【請求項４】
調節手段が、第２の磁石を構成する永久磁石（３６）と、出て行くヤーン（１８）の張力を調節するため、第１の永久磁石（３０）に対する第２の磁石（３６）の位置を、制御ユニット（２６）の制御下に、リアルタイムに変更するようになっているモータ付の機構（３９）とを備えていることを特徴とする請求項１に記載のヤーン（１８）供給装置。
【請求項５】
所定の張力値が、繊維機械のいろいろな作業段階の関数として、制御ユニット（２６）によりプログラム可能な態様で、経時的に可変であることを特徴とする請求項１に記載のヤーン（１８）供給装置。
【請求項６】
制動部材（２２）が、永久タイプの磁石（３６）又は電磁石（３８）である更に別の磁石を備え、更に別の磁石は、第１の永久磁石（３０）を、ドラム（１６）に対して中央に配置させることができることを特徴とする請求項１に記載のヤーン（１８）供給装置。
【請求項７】
ドラム（１６）が、垂直方向の軸を有する場合には、制動部材（２２）は、第１の永久磁石（３０）の重力を無にすることのできる永久タイプの磁石（３６）又は電磁石（３８）を備えていることを特徴とする請求項１に記載のヤーン（１８）供給装置。
【請求項８】
受止要素（３２）及び第１の永久磁石（３０）が、少なくともヤーン（１８）と接触するそれらの部品に関して、耐摩耗性材料で被覆されていることを特徴とする請求項１に記載のヤーン（１８）供給装置。
【請求項９】
耐摩耗性被覆材料が、織物セラミックであることを特徴とする請求項８に記載のヤーン（１８）供給装置。
【請求項１０】
耐摩耗性被覆材料が、クロムめっきによって得られることを特徴とする請求項８に記載のヤーン（１８）供給装置。
【請求項１１】
環状の第１の永久磁石（３０）が、受止要素（３２）と直接相互作用する形状になった部分と協働して、ヤーン（１８）を制動することを特徴とする請求項１に記載のヤーン（１８）供給装置。
【請求項１２】
前記部分が、円錐状であることを特徴とする請求項１１に記載のヤーン（１８）供給装置。
【請求項１３】
所定の張力値が、可変でプログラム可能であることを特徴とする請求項１に記載のヤーン（１８）供給装置。
【請求項１４】
基準値の変化は、繊維機械の作業段階の関数であることを特徴とする請求項１３に記載のヤーン（１８）供給装置。
【発明の詳細な説明】
【技術分野】
【０００１】
本発明は、繊維機械に供給されるヤーンの張力を制御するための所謂「ブレーキ」が備わった、繊維用途のための貯蔵タイプのヤーン供給装置に関する。
【背景技術】
【０００２】
スプールから引き出されたヤーンが、繊維機械に供給される前に、巻き連なりになってドラムに巻き付けられる種々のタイプの斯かる供給装置が公知である。巻き付けられたヤーンがドラムを離れるドラム端部には、前記の「ブレーキ」、即ち、出て行くヤーンの制動部材が備わっており、この制動部材は、基本的に、内部が円錐台状の環状要素からなり、この円錐台状環状要素は、ドラムと軸線を同じくして配置され、このヤーンを制動してヤーンが繊維機械によって引き出される際の張力を制御するため、（所謂出口ポイントで）ドラムを離れる出口ヤーンが円錐台状環状要素に押圧されるようになっている。
【０００３】
異なる「制動」の制御方法を用いる２種類の円錐台状環状要素タイプの「ブレーキ」が、公知である。
【０００４】
１．円錐台状環状要素は、所定の位置に保持され、１個以上の予め組み込まれたばねにより、ばねによってかけられる力が繊維機械に供給されるヤーンの平均張力を決定するように、ドラムに押圧されている。ばねは、ヤーンに生じた縺れがブレーキを通過する時に、緩衝部材としても作用するので、ヤーンの破断を防止することができる。
【０００５】
２．円錐台状環状要素は、所定の位置に保持され、１個以上の磁石の作用によりドラムに押圧されている。磁場の強さが、出て行くヤーンの平均張力を決定する。磁石の使用はまた、縺れが通るときに、この場合には円錐台状環状要素も移動し、縺れが通れるようにしてヤーンの破断を防止するのであれば、防振効果を得られるようにすることができる。
【０００６】
タイプ２の制動部材を有するヤーン供給装置は、特に２個の永久磁石の斥力効果を用いるものであり、例えば、この目的で２個の互いに反発する磁石を用いる米国特許出願公開第２００８／２９６４２５号及びヨーロッパ特許出願公開第２０６５４９６号に記載されている。ヨーロッパ特許出願公開第２０６５４９６号は、オペレーターが、ヤーンに対する制動効果を変更することができるよう、２個の永久磁石の相対位置を手動で変えられるようにする（しかし、このようにすると、２個の永久磁石の相対位置は、次の手動による調節まで、時間がたっても一定のままである）機構を提供している。しかしながら、この手動の制動調節機構は、作業条件が変わると、出て行くヤーンにおける一定のヤーン張力を保証することができない。特に、出て行くヤーンにかかる平均張力は、ヤーン供給装置のドラムへの積載中の、スプールからヤーンを繰り出す張力の関数、及び繊維機械によるヤーンの引き出しの速度の関数でもある。これは、各々のヤーンが、その固有弾性を有しており、ドラムからヤーンを繰り出す間の張力の違いが、ヤーンが異なる伸びを受けるようにするためである。その結果、入ってくるヤーン（即ち、スプールから来るドラムに巻き付けられるヤーン）の張力が変化するので、より大きな程度又はより小さな程度にヤーンがドラムを押すように、ヤーンはドラムに蓄積するようになるが、（例えば、スプールが満杯の状況とスプールが空に近い状況との間での）入ってくるヤーンにおける張力の変化は、前記手動の制動調節機構によっては補償することができないのは、明らかである。さらに、このドラムに巻かれたヤーンの張力の変化は、供給装置から繊維機械へヤーンを供給する速度の誤った測定値をもたらすこともある。当業者には公知のように、この速度は、ヤーン供給張力の関数である。特に、弾性の少ないヤーンに関しては、前記のブレーキを備えた供給装置を用いると、張力が大きいほど、速度が低くなり、したがって、張力が小さいほど、速度が高くなる。
【０００７】
オペレーターが、これらの供給装置の作動、及び制動部材の摩耗という理由を含めて、特に出て行くヤーンの平均張力の値を、定期的に確認することと、そのため、出て行くヤーンの張力に対する摩耗の影響を補償するため、前記手動の制動調節機構に働きかけることを強いられることにも留意すべきである。
【０００８】
これらの限界を克服するため、項目１で上に示すタイプの（即ち、ばねを使用する）貯蔵式供給装置が製造され、これらの貯蔵式供給装置はまた、それらの出口においてヤーンの張力を測定するためのセンサ及びブレーキによってドラムにかけられる圧力のための電子調節器を備えている。例えば、ヨーロッパ特許出願公開第２０１４８０９号を参照されたい。この公開明細書による貯蔵式供給装置には、小さなステッピングモーターを用いて円錐台状制動要素の位置を変えるための機械的手段と共に、センサを用いて出て行くヤーンの張力を測定することのできる電子制御手段が備わっており、そのため、出て行くヤーンの平均張力を調節することができる。これらの供給装置では、出て行くヤーンの張力を連続して測定することが、この張力の平均変化を補償することを可能にしている。
【０００９】
しかしながら、それらの供給装置の（ステッピングモーターによって駆動されるウォームによる）張力調節方法のため、（特に、満杯のスプール状態から空のスプール状態への移行による、又は円錐台状制動要素の摩耗による）ゆっくりした張力変化は、完全に補償することができるものの、それらの供給装置は、それらの性質のため、他と異なる張力の１巻き又は２巻きがドラムに蓄積することのある（例えば、ヤーンの縺れの通過による、繊維機械の速度変化による、又はスプールに起因する張力のピークによる）早い張力変化を補償することができないという少なからぬ欠点がある。
【００１０】
これらの供給装置の他の欠点は、（例えば円錐台状要素を厚さの異なる他の要素に代えることにより、或る部品を交換するため、制動部材に対して機械的介入が行われなければ）それらの利用張力の範囲が非常に限られていることである。この点で、最小張力が、円錐台状要素の重量によって制限されるのに対し、最大張力は、特にできるだけ軽く設計された円錐台状要素を必要とするが、このできるだけ軽く設計された円錐台状要素は、非常に早く摩耗する。
【００１１】
国際特許出願公開第ＷＯ  ２００７／０４８５２８号は、編み機の編みシステムに供給するヤーンの長さを自動的に制御するための装置を記述している。
【００１２】
この装置は、固定又は静止ドラムにより構成されるヤーン貯蔵部材を有する本体を備え、ヤーン貯蔵部材に対して巻き付け要素が回転してヤーンをスプールから受け取る。この装置には、電子制御ユニットによって制御される張力部材が備わっているのと同様に、繊維機械に供給されるヤーンの長さを測定するための機器が備わっている。
【００１３】
この張力部材は、固定ドラムの端部に配置され半径方向に柔軟な円錐台状ボディを備え、このボディは、固定ドラムから離れて繊維機械に向けられるヤーンに作用することによりブレーキとして作動する。円錐台状ボディは、円筒状の延長部分を有し、円筒状の延長部分は、磁石リング又は、代わりに、前記円筒状の延長部分の周辺に分布させた複数の永久磁石を支持している。
【００１４】
前記磁石リング又は複数の永久磁石から間隔をおいて、張力部材の静止部分に固定された他の永久磁石又は放射状に分布させた複数の永久磁石があり、この静止部分は、装置の本体に連結されているが、固定ドラムに対する静止部分の位置は、手動で調節することができる。この調節は、静止部分の単数又は複数の磁石と、ヤーンに位置づけた円錐台状ボディに連結された単数又は複数の磁石との間の相対位置を変えることができる。
【００１５】
張力部材の静止部分はまた、ソレノイドを支持しており、ソレノイドは、装置を離れて繊維機械に向けられるヤーンの長さの測定値の関数としての可変の態様で、電力を電子的に供給される。
【００１６】
このソレノイドへの可変の電力供給は、供給されるヤーンの長さを所望の値と等しく維持するよう、ヤーンにかかる円錐台状ボディの制動力を変えることができる。
【００１７】
したがって、前記の先行技術の解決策は、ドラム上に存在するヤーンに作用する円錐台状ボディを備えており、ドラムは、制動がドラム上に存在するヤーンを押圧することにより行われるよう、この円錐台状ボディの適正な制動を可能にするため、必ず固定されていなくてはならない。
【００１８】
加えて、この先行技術の解決策は、円錐台状ボディが固定ドラムから限られた引き出ししかできず、前記公知の装置を始動させる時に、円錐台状ボディと固定ドラムとの間に、繊維機械に向けられるヤーンを挿入することが困難であるという欠点を露呈する。
【００１９】
さらに、他ならぬ（ヤーンを固定ドラムに押圧することにより行われる）ヤーンを制動する方法のために、この公知の解決策は、装置が使用されていない時でも、この円錐台状ボディを固定ドラムの近傍に保っておくため、円錐台状ボディと張力部材の静止部分との間に、機械的拘束要素を備えていなければならない。
【発明の概要】
【発明が解決しようとする課題】
【００２０】
したがって、本発明の目的は、出て行くヤーンの張力の値を、リアルタイムに所定の基準値と等しくさせるように、いかなる状況においても出て行くヤーンの張力を有効に制御することのできるブレーキを備えた貯蔵型供給装置を提供することである。
【００２１】
本発明の他の目的は、ヤーンが出て行く際の張力（繊維機械の作業張力）の経時変化をプログラムできるようにして、即ち、要求される態様で経時的に変化する基準張力を有して、それにより、最終製品に対する特定の効果を得ることのできる上述のタイプの供給装置を提供することである。
【００２２】
本発明の他の目的は、ブレーキの自動開放をもたらすことにより、「挿入」段階（ドラムへのヤーンの初期積載）を容易にする上述のタイプの供給装置を提供することである。
【００２３】
本発明の別の目的は、公知の供給装置の作業張力範囲よりも広い作業張力範囲を有する上述のタイプの供給装置を提供することである。
【００２４】
本発明の更に別の目的は、制動部材が、実際に、ヤーンの通過に起因する摩耗に影響されない上述のタイプの供給装置を提供することである。
【００２５】
本発明の更なる目的は、繊維機械の或る特にデリケートな加工段階（例えば、丸形ヨコ編み機の糸ガイドからヤーンが出る間のヤーンの吸い込み）を容易にするため、繊維機械に供給されるヤーンにかかる張力を、即座に無くすことのできる上述のタイプの供給装置を提供することである。
【００２６】
本発明の他の目的は、自由選択で、固定ドラム式のものでも回転ドラム式のものでもよい上述のタイプの供給装置を提供することである。
【課題を解決するための手段】
【００２７】
これらの目的は、添付の特許請求の範囲に記載の制動部材を有する貯蔵タイプのヤーン供給装置によって達成される。
【００２８】
本発明は、例示として提示された本発明の幾つかの実施の形態についての以下の説明からより容易に理解されるであろう。この説明では、添付図面を参照する。
【図面の簡単な説明】
【００２９】
【図１】本発明による供給装置の斜視図である。
【図２】ドラムの軸線に沿う垂直方向の断面図である。
【図３】やはりドラムの軸線に沿う垂直方向の拡大部分断面図であるが、図２の平面に対して垂直な平面内にある図である。
【図４】図２の断面図と類似の断面図であるが、本発明の異なる実施の形態のものである。
【発明を実施するための形態】
【００３０】
図面から分かるように、全体を符号１０で示す本発明のヤーン供給装置は、貯蔵タイプのものであり、適切な支持体１４によって担持された、垂直軸のドラム１６を担持する本体１２を備えており、ドラム１６には、スプール（図示せず）から来るヤーン１８の所定数の巻き連なり２０が、巻き付けられる。入ってくるヤーン１８、即ち、ドラム１６に達する前のヤーンは、通常１個以上の糸ガイド（このうちの１個が、符号２１で示され、図１及び図２において見ることができる）を通過し、糸ガイドは、ヤーンの入口軌跡を規定し、ヤーン１８が本体１２と接触するのを防止する。ドラム１６の役割は、（場合によりプログラム可能な）所定数の、スプールから来る、繊維機械（図示せず）に供給するヤーン１８の巻き連なり２０を貯蔵することである。ドラム１６は、それらの巻き連なりが互いにまたがり、その結果、相互に拘束しあうことがない態様で、回転しながら、それらの巻き連なりを引き離せるようにするものである。本発明のこの実施の形態では、このドラムは、モータ１６Ａにより駆動される回転タイプのものである。
【００３１】
本発明の供給装置１０を離れる前に、ヤーン１８は、全体を符号２２で示す制動部材２２を通過する。さしあたり、制動部材２２がどのように構成されているかには触ないが、図１及び図２から、出て行くヤーン１８は、従来型のセンサ２４を通過し、センサ２４は、公知の手法によりヤーンの出口張力を連続的に測定し、測定した張力値を、マイクロプロセッサータイプの制御ユニット２６に送る。制御ユニット２６のディスプレー２７及び制御装置２８が、図１に示されている。センサ２４は、アーム２５によって本体１２に固定されている。
【００３２】
制動部材２２の話に戻ると、制動部材２２は、この図示の場合には、リング形の第１の永久磁石３０を備えており、図３には、それぞれ符号３０Ａ及び３０Ｂで示す制動部材の両末端作業位置（同時に存在しないことは、明らかである）を示している。環状の永久磁石３０は、前記末端作業位置３０Ａと３０Ｂとの間の任意の場所に位置することができ、ヤーン１８が巻き連なり２０になって巻き付けられるドラム１６よりも大きな直径を有しており、ドラム及び前記ヤーンの巻き連なりと軸線を同じくして配置されている。環状の永久磁石３０は、ドラムに沿って自由に移動し、永久磁石の直径がドラムよりも大きいので、ドラムに対して任意の位置に到達することができる。
【００３３】
第１の永久磁石３０が末端作業位置３０Ａに達したときに、第１の永久磁石３０のための限界停止要素として作用する（特に、非磁性のステンレス鋼からなる）非磁性で環状の受止要素又は突き当たり要素３２が、ドラム１６と軸線を同じくして本体１２に固定されている。したがって、この非磁性で環状の受止要素は、ドラムに対して動かない。
【００３４】
環状の支持体３４も、アーム２５によって本体１２に固定されており、やはりドラム１６と軸線を同じくして配置されている。この図示の場合には永久磁石３６である第２の磁石も、リング形状のものであり、第２の永久磁石３６は、前記環状の支持体３４に固定され、ドラム１６と軸線を同じくして配置されている。図示の場合（本明細書で以下により良く理解されるであろう）では、第２の永久磁石３６の磁極を、第１の永久磁石３０に対して引力効果又は斥力効果を有するように、配置することができる。
【００３５】
この具体的な図示の場合には、電磁石（基本的に、電力供給される巻線からなるもの）３８が環状の支持体３４に軸線を同じくして固定され、電磁石の磁極の配置に応じて、第１の永久磁石３０に対する引力効果又は斥力効果を有することができる。電磁石３８は、制御ユニット２６に接続されていることは明らかにであり、そのため、制御ユニット２６は、前記巻線を流れる電流の強さと、更にこの電流の方向を調節することができ、その結果、発生させる磁場を調節する能力を有する。
【００３６】
図示の状況では、２個の永久磁石３０及び３６の磁極がどのように配置されているかによって、２つの異なる解決策があり得る。
【００３７】
１）２個の永久磁石３０及び３６が、相互に反発するため、第１の永久磁石３０が、第２の永久磁石３６から退こうとし、磁石の斥力がより強い位置３０Ａよりも離れた位置３０Ｂに来る。
【００３８】
２）２個の永久磁石３０及び３６が、互いに引き付け合うため、第１の永久磁石３０が、第２の永久磁石３６に近づこうとし、位置３０Ａに来て、より大きな磁石の引力で受止要素３２を押す。
【００３９】
図３から分かるように、ヤーン１８は、受止要素３２と第１の永久磁石３０との間に挿入される（その後、張力センサ２４から移動する）。この作業は、ドラム（及びドラムに積載したヤーン）の直径よりも大きな環状要素３０の直径のため、受止要素３２から離れたドラム１６に沿った任意の位置に第１の永久磁石３０を移動させることができることにより促進される。
【００４０】
使用中、
−第１の永久磁石３０が、（受止要素３２から離れたドラムに沿う）位置３０Ｂにある場合、ヤーン１８は、ドラム１６を離れてゆく際に、退出に対して何等の制動効果も受けないので、ヤーンは、（実際には、ヤーンと本発明の供給装置１０の他の部品との間の摩擦によって生じる最小限張力があるが）所謂「ゼロ張力」で、（上述のような、図示しない）繊維機械によって引き出される。
【００４１】
−第１の永久磁石３０が、位置３０Ａにある場合には、ヤーン１８は、ドラム１６から離れてゆく際に、張力センサ２４に達する前に、第１の永久磁石３０と受止要素３２との間で圧迫され、その結果、２個の永久磁石３０及び３６の引力が大きくなるにつれて、ヤーンはより強く制動される。そのため、本発明は、公知の解決策とは反対に、ヤーンを、ドラム１６に沿ってドラムと平行に自由に移動可能な環状の第１の永久磁石３０と前記ドラムの一端に（又はそれに相当する位置に）固定された受止要素３２との間で圧迫することにより、ヤーンを制動することができる。
【００４２】
したがって、この制動作用は、ヤーンを制動するためヤーンをドラムに押圧する公知の解決策のようにドラムに向かう方向ではなく、ドラムから引き出される又はドラムを離れるヤーンの運動の方向で行われる。
【００４３】
この異なる制動作用は、制動部材２２への（環状の第１の永久磁石３０とドラム１６に連結された受止要素との間への）容易になったヤーンの「挿入」を、達成することができ、この制動部材２２の製造も容易にする。制動部材２２は、組み立て中、（環状の第１の永久磁石３０をドラム１６に引き寄せて、第１の永久磁石３０をドラムにロックすることにより、受止要素３２をドラムに固定する）作業員によって保持されなければならない要素がなく、組み立て時間（保守のための部品の交換後の組み立て時間であっても）、及び相対費用における明らかな節約になる。
【００４４】
したがって、（引き合い又は反発における）２個の永久磁石に関して選択された構成を考慮しなければ、制御ユニット２６は、（公知のＰ、ＰＩ、ＰＩＤ及び類似のアルゴリズムなどに従って）電磁石３８によって生じた磁場を適正に作用させ調節することにより（したがって、電磁石３８は、調節手段として機能する）、第１の永久磁石３０の位置３０Ｂと、第１の永久磁石３０が受止要素と当接する位置３０Ａにある時に第１の永久磁石３０によってヤーン１８にかけられる圧迫力の両方を調節することができ、繊維機械によって引き出される退出するヤーン１８の張力は、直接この圧迫力によるということになる。
【００４５】
特に、２個の永久磁石３０及び３６が互いに引き合う構成（この構成に関しては、第１の永久磁石３０は、位置３０Ａにあってヤーン１８を押圧し、ヤーンを受止要素３２に押し付けて圧迫する）では、電磁石３８によって生じた磁場は、引力したがって圧迫力を無にすること、減少させること又は増加させることができ、そのため、適正にプログラムされた制御ユニット２６を用いて、出て行くヤーン１８の張力を（実際には、リアルタイムに）調節することができ、そのため、出て行くヤーン１８における基準張力と等しい所要の張力を得ることができる（この基準張力は、制御ユニット２６を適正にプログラムすることにより、経時的に可変にすることができる）。
【００４６】
２個の永久磁石３０と３６が互いに反発する配置では、第１の永久磁石３０は位置３０Ｂに移動しようとし、第１の永久磁石３０は、ヤーン１８に力をかけず、電磁石３８によって発生した磁場は、２個の永久磁石３０と３６との間の反発を無にすることができるだけでなく、電磁石３８が第１の永久磁石３０を引き寄せ、したがって、ヤーン１８を受止要素３２に押圧し、実際に、制御ユニット２６の介入により、出て行くヤーン１８に所要の張力を、リアルタイムに発生させるように作用することさえもできる。
【００４７】
前記の解決策は、公知の供給装置の使用可能な張力範囲よりも、断然広い使用可能な張力範囲を達成できることが分かった。
【００４８】
実用的な目的で、ヤーン１８が受止要素３２や第１の永久磁石３０と擦れることによって生じる摩耗を無くすため、これら２つの要素３２及び３０、少なくともそれらの要素のヤーン１８と接触する部品を、従来の織られたセラミック（ｗｏｖｅｎ  ｃｅｒａｍｉｃ）又は他の耐摩耗性材料により（例えば、クロムめっきにより）、被覆することができる。
【００４９】
更に、環状の第１の永久磁石３０は、受止要素３２と直接相互作用してヤーンを制動するようになっている（例えば円錐状の）ボディと協働することができる。このボディは、（可動の）第１の永久磁石３０に連結されていてもよく、第１の永久磁石３０のドラムに沿う運動を妨げないよう、（可動の）第１の永久磁石３０に連結されていなくてもよい。
【００５０】
本発明の変更形態では、第２の磁石は、電磁石である。実際、図３において、永久磁石３６が存在せず、電磁石３８が前記第２の磁石である場合、電磁石３８が第１の永久磁石にかける作用を、電磁石３８によって発生する磁場の強さを適正に変える制御ユニット２６の介入により、随意に変えることができるので、電磁石３８は、やはり調節手段としての機能を果たす。
【００５１】
図４に符号１０Ａで示す他の変更形態では（図４においては、図２の要素と同じ又は類似の要素は、同じ参照符号で示す）、第２の磁石も永久磁石３６である。この場合には、調節手段は、全体を符号３９で示すモータ付の機構を備えており、このモータ付の機構は、制御ユニット２６により指令された時に、第１の永久磁石３０に対する第２の永久磁石３６の位置をリアルタイムで変更し、出て行くヤーン１８の張力を調節することができる。前記モータ付の機構は、この図示の場合には、制御ユニット２６に接続されたサーボモータ４１（特にステッピングタイプのもの）によって回転されるウォーム４０を備え、ウォーム４０が、その軸線を中心にして両方向に回転できるようになっている。ウォーム４０は、雌ねじが備わったブッシュ４２に挿通されており、第２の永久磁石３６を収容している環状の支持体３４が、ブッシュ４２に固定されている。その結果、制御ユニット２６の作用によりサーボモータ４１を作動させることにより、（環状の支持体３４に収容された）第２の永久磁石３６は、第１の永久磁石３０から引き下がる又は近づくようにされ、出て行くヤーン１８の張力を調節することができる。
【００５２】
更に別の変更形態では（この変更形態の説明のため、やはり図４を参照する）、第２の磁石は、電磁石３８である（簡略化のため、同様に図４に示されているが、この変更形態及びすぐ前の変更形態においては、電磁石３８だけ又は永久磁石３６だけが、それぞれ存在することは、明らかである）。電磁石３８は、前記調節手段の一部を構成することができ、前記調節手段は、この変更形態では、やはり制御ユニット２６により制御されるつい先ほど説明した符号３９で示すようなモータ付の機構を備えている。
【００５３】
本発明の第１の実施の形態の説明で既に述べたが、マイクロプロセッサタイプの制御ユニット２６を有することにより、上述の全ての実施の形態において、経時的に可変の基準張力値を、制御ユニットにより、プログラム可能な態様で設定できることに留意すべきである。特に、前記基準張力値は、繊維機械の異なる作業段階を確認する繊維機械から来る同期信号（ｓｙｎｃｈｒｏｎｉｓｍ  ｓｉｇｎａｌｓ）（例えば、丸形ヨコ編み機に関する１個以上のシリンダー回転パルス）に基づいて、又はフィールドバス（ＲＳ４８５、ＣＡＮ  ＢＵＳ、ＥＴＨＥＲＮＥＴ等）を介する接続により、変更することができる。
【００５４】
制動部材２２は、永久タイプのもの（例えば、永久磁石３６）又は電磁石である特定の磁石を備えていてもよく、この磁石の唯一の機能は、ドラム１６に対して第１の永久磁石３０を中央に配置させることであり及び／又はこの磁石は、第１の永久磁石３０の重量を無にすることができ、直径が第１の永久磁石３０と同じ或いは第１の永久磁石３０よりも小さい又は大きいものである。
【００５５】
本発明の供給装置１０及び１０Ａを示す図において、第１の永久磁石３０は、受止要素３２の上方に配置されているが、これらの要素のそれぞれの位置が逆になった変更形態、即ち、受止リングが第１の永久磁石の上方に配置されており、そのため、ヤーン１８を制動するには、第１の永久磁石を上方に移動させて受止リングに当接させなければならない変更態様も、明らかに本発明の範囲に属することに留意すべきである。
【００５６】
以上の記載から、本発明により、先に列挙した全ての目的を達成することのできる貯蔵タイプのヤーン供給装置を得ることができる。特に、本発明の供給装置は、固定ドラム型のものでも回転ドラム型のものでもよいことは明らかである。
【図１】
2015504489.tif 000003
【図２】
2015504489.tif 000004
【図３】
2015504489.tif 000005
【図４】
2015504489.tif 000006
【国際調査報告】
2015504489.tif 000007
2015504489.tif 000008
2015504489.tif 000009